(57)【要約】【課題】磁気エレメントが管体内を摺動する際の摺動抵抗を低減して、機器の損傷を防止するとともに、メンテナンス作業を容易に行うことができるようにした微細鉄粉除去装置を提供すること。【解決手段】複数本の磁気エレメント５と、この磁気エレメント５がそれぞれ収納される管体３とを備え、管体３の外周部を流動する原材料に混入している微細鉄粉を除去するようにするとともに、複数本の磁気エレメント５を固定した共通の連結板８を介して磁気エレメント５を管体から引く抜くことができるようにした微細鉄粉除去装置において、磁気エレメント５をフレキシブルジョイント１０を介して連結板８に固定する。【選択図】図３
2010172824.tif 000002
【特許請求の範囲】
【請求項１】
複数本の磁気エレメントと、該磁気エレメントがそれぞれ収納される管体とを備え、管体の外周部を流動する原材料に混入している微細鉄粉を除去するようにするとともに、複数本の磁気エレメントを固定した共通の連結板を介して磁気エレメントを管体から引く抜くことができるようにした微細鉄粉除去装置において、磁気エレメントをフレキシブルジョイントを介して連結板に固定するようにしたことを特徴とする微細鉄粉除去装置。
【請求項２】
フレキシブルジョイントが、柔軟性を有する合成樹脂又はゴム製の部材からなることを特徴とする請求項１記載の微細鉄粉除去装置。
【請求項３】
フレキシブルジョイントが、フローティングジョイントからなることを特徴とする請求項１記載の微細鉄粉除去装置。
【請求項４】
磁気エレメントの両端に、磁気エレメントを構成する永久磁石及びヨークよりも直径を大きく形成することにより、磁気エレメントが管体内を摺動するときに摺接する柔軟性を有する合成樹脂又はゴム製のガイドを配設したことを特徴とする請求項１、２又は３記載の微細鉄粉除去装置。
【発明の詳細な説明】
【技術分野】
【０００１】
本発明は、食品工業、化学工業、窯業等の分野において、流動性を有する原材料に混入している機器の摩耗粉や微細鉄粉等の磁性体（本明細書において、「微細鉄粉」という。）を除去する目的で、原材料が流動する管路の途中に設置して使用される微細鉄粉除去装置に関するものである。
【背景技術】
【０００２】
従来、食品工業、化学工業、窯業等の分野において、流動性を有する原材料に混入している微細鉄粉を除去するために、微細鉄粉除去装置が汎用されている（例えば、特許文献１参照）。
【０００３】
この微細鉄粉除去装置は、図１〜図２に示すように、流動性を有する原材料が流動する管路１ｄに、永久磁石５ａ及びヨーク５ｂから構成した磁気エレメント５と、この磁気エレメント５が収納される管体３とを備えた本体１を配設して、管路１ｄ内を流動する原材料に混入している微細鉄粉を、磁気エレメント５を収納した管体３の表面に吸着して除去するものである。
【０００４】
この場合、微細鉄粉除去装置の流入口１ａ及び流出口１ｂと原材料が流動する管路１ｄとの接続形状は、メンテナンス等の際の作業性を考慮して、フェルール継手１１により簡単に着脱が可能な構造になっている。
また、同様に、微細鉄粉除去装置の本体１とマグネット体２との接続形状も、メンテナンス等の際の作業性を考慮して、フェルール継手１１により簡単に着脱が可能な構造になっている。
【０００５】
また、管体３及び磁気エレメント５を備えたマグネット体２は、このマグネット体２を本体１に装着したとき、本体１内に位置する複数本（例えば、７本）を千鳥状に配設するようにした管体３と、各管体３に連通するとともに、各管体３を隔壁４ａを介して保持する、管体３と略同長の筒体４と、管体３内と筒体４内の間を摺動する磁気エレメント５と、各磁気エレメント５の端部を固定した連結板８と、磁気エレメント５を、管体３内（これにより、微細鉄粉の除去を行う際に、管体３の表面に磁気エレメント５の磁力が作用するようにすることができる。）と、筒体４内（これにより、メンテナンス作業を行う際に、管体３の表面に磁気エレメント５の磁力が作用しないようにすることができる。）のいずれかに選択的に位置させるために連結板８に固定したロッド９の先端に形成した把持部７とから構成するようにしている。
【０００６】
ところで、この種の微細鉄粉除去装置による微細鉄粉の除去効率は、原材料に混入している微細鉄粉の粒子を透過する磁力線の本数によって決定される。磁力線は磁気エレメント５の絶対数や、その中に配置された永久磁石５ａの個数を多くすることで、その近傍の磁力線密度が高くなり、結果的に微細鉄粉の捕捉確率、除去効率が向上する。
【０００７】
磁気エレメント５を構成する永久磁石５ａは、磁気を効率良く放出させる効果のあるヨーク５ｂを介し、対向面が互いに同極になるよう密着させ、反発磁界によって磁力線を外部に効率良く放出する構造となっている。
【０００８】
そして、実際に原材料に混入している微細鉄粉を効率良く除去するには、磁気エレメント５を収納した管体３の外表面の磁力線密度をできるだけ高くすることが必要で、磁力線の磁束密度は永久磁石５ａ及びヨーク５ｂからの距離の二乗に反比例して減衰することから磁気エレメント５と管体３の隙間の寸法や管体３のパイプ厚さを可能な限り小さくしなければならない。したがって、磁気エレメント５と管体３の隙間を狭小にする必要がある。
しかしながら、磁気エレメント５と管体３の隙間を狭小にすると、機器の加工精度や溶接加工による歪、あるいは処理する原材料の温度による管体３の熱歪等による寸法誤差によって、メンテナンス作業等において、磁気エレメント５が各々の管体３内を摺動する際の摺動抵抗が大きくなり、円滑に摺動させることができず、ひいては、機器が損傷するという問題があった。
【先行技術文献】
【特許文献】
【０００９】
【特許文献１】特許第２６４５７９７号公報
【発明の概要】
【発明が解決しようとする課題】
【００１０】
本発明は、上記従来の微細鉄粉除去装置の有する問題点に鑑み、磁気エレメントが管体内を摺動する際の摺動抵抗を低減して、機器の損傷を防止するとともに、メンテナンス作業を容易に行うことができるようにした微細鉄粉除去装置を提供することを目的とする。
【課題を解決するための手段】
【００１１】
上記目的を達成するため、本発明の微細鉄粉除去装置は、複数本の磁気エレメントと、該磁気エレメントがそれぞれ収納される管体とを備え、管体の外周部を流動する原材料に混入している微細鉄粉を除去するようにするとともに、複数本の磁気エレメントを固定した共通の連結板を介して磁気エレメントを管体から引く抜くことができるようにした微細鉄粉除去装置において、磁気エレメントをフレキシブルジョイントを介して連結板に固定するようにしたことを特徴とする。
【００１２】
この場合において、フレキシブルジョイントを、柔軟性を有する合成樹脂又はゴム製の部材から構成することができる。
【００１３】
また、フレキシブルジョイントを、フローティングジョイントから構成することができる。
【００１４】
また、磁気エレメントの両端に、磁気エレメントを構成する永久磁石及びヨークよりも直径を大きく形成することにより、磁気エレメントが管体内を摺動するときに摺接する柔軟性を有する合成樹脂又はゴム製のガイドを配設することができる。
【発明の効果】
【００１５】
本発明の微細鉄粉除去装置によれば、磁気エレメントをフレキシブルジョイントを介して連結板に固定することにより、フレキシブルジョイントによって機器の加工精度や溶接加工による歪、あるいは処理する原材料の温度による管体の熱歪等による寸法誤差を吸収することができ、磁気エレメントと管体の隙間を狭小に設定しても、磁気エレメントが管体内を摺動する際の摺動抵抗を低減することができ、機器の損傷を防止するとともに、メンテナンス作業を容易に行うことができる。
【００１６】
また、フレキシブルジョイントを、柔軟性を有する合成樹脂又はゴム製の部材から構成することにより、コストを低廉にすることができる。
【００１７】
また、フレキシブルジョイントを、フローティングジョイントから構成することにより、ジョイント部の強度を向上することができ、装置の耐久性を向上することができる。
【００１８】
また、磁気エレメントの両端に、磁気エレメントを構成する永久磁石及びヨークよりも直径を大きく形成することにより、磁気エレメントが管体内を摺動するときに摺接する柔軟性を有する合成樹脂又はゴム製のガイドを配設することにより、磁気エレメントが管体内を摺動する際の摺動抵抗を一層低減することができる。
【図面の簡単な説明】
【００１９】
【図１】微細鉄粉除去装置の基本構造を示す説明図である。
【図２】微細鉄粉除去装置の使用方法を示す説明図である。
【図３】本発明の微細鉄粉除去装置の一実施例を示す正面断面図である。
【図４】微細鉄粉除去装置の基本構造を示す説明図である。
【発明を実施するための形態】
【００２０】
以下、本発明の微細鉄粉除去装置の実施の形態を、図面に基づいて説明する。
【００２１】
図１〜図３に、本発明の微細鉄粉除去装置の一実施例を示す。
この微細鉄粉除去装置は、従来の微細鉄粉除去装置と同様、流動性を有する原材料が流動する管路１ｄに、永久磁石５ａ及びヨーク５ｂから構成した磁気エレメント５と、この磁気エレメント５が収納される管体３とを備えた本体１を配設して、管路１ｄ内を流動する原材料に混入している微細鉄粉を、磁気エレメント５を収納した管体３の表面に吸着して除去するものである。
【００２２】
この場合、微細鉄粉除去装置の流入口１ａ及び流出口１ｂと原材料が流動する管路１ｄとの接続形状は、メンテナンス等の際の作業性を考慮して、フェルール継手１１により簡単に着脱が可能な構造になっている。
また、同様に、微細鉄粉除去装置の本体１とマグネット体２との接続形状も、メンテナンス等の際の作業性を考慮して、フェルール継手１１により簡単に着脱が可能な構造になっている。
【００２３】
また、管体３及び磁気エレメント５を備えたマグネット体２は、このマグネット体２を本体１に装着したとき、本体１内に位置する複数本（例えば、７本）を千鳥状に配設するようにした管体３と、各管体３に連通するとともに、各管体３を隔壁４ａを介して保持する、管体３と略同長の筒体４と、管体３内と筒体４内の間を摺動する磁気エレメント５と、各磁気エレメント５の端部を固定した連結板８と、磁気エレメント５を、管体３内（これにより、微細鉄粉の除去を行う際に、管体３の表面に磁気エレメント５の磁力が作用するようにすることができる。）と、筒体４内（これにより、メンテナンス作業を行う際に、管体３の表面に磁気エレメント５の磁力が作用しないようにすることができる。）のいずれかに選択的に位置させるために連結板８に固定したロッド９の先端に形成した把持部７とから構成するようにしている。
【００２４】
原材料に混入している微細鉄粉を除去する磁気エレメント５は、例えば、希土類のネオジウム磁石からなる永久磁石５ａをヨーク５ｂを介して同極面で密着させ、反発磁界により磁力線を外部に効率良く放出する構造となるようにしている。
この場合、永久磁石５ａとヨーク５ｂは、中空状のボルト５ｃで締め付けることによって、一体化されている。
【００２５】
このようにして一体化された磁気エレメント５の両端には、永久磁石５ａ及びヨーク５ｂよりも直径を若干大きく（特に限定されるものではないが、直径で、０．１〜０．５ｍｍ程度、より好ましくは、０．２〜０．３ｍｍ程度大きく）形成した柔軟性を有する合成樹脂又はゴム製、例えば、フッ素樹脂製のガイド５ｄが組み込まれており、メンテナンス作業の際に、磁気エレメント５が管体３内を摺動するときの摩擦力を低減し、作業を容易に行うことができるようにしている。
ここで、後述の熱媒体を流通させる場合には、ガイド５ｄの周面に、後述の熱媒体を流通させるための溝（図示省略）を磁気エレメント５の軸方向に形成するようにする。
【００２６】
複数本（例えば、７本）の磁気エレメント５は、フレキシブルジョイント１０を介して連結板８に固定されているが、このフレキシブルジョイント１０は、磁気エレメント５がメンテナンス作業の際に各々の管体３内を摺動するときに、機器の加工精度や溶接加工による歪、あるいは処理する原材料の温度による管体３の熱歪等による寸法誤差を吸収して滑らかな摺動を保つ目的で付設されている。
【００２７】
本実施例において、フレキシブルジョイント１０には、柔軟性を有する合成樹脂又はゴム製の筒状の部材（ここで、筒状の部材を用いている理由は、後述の熱媒体を流通させるためであるが、熱媒体を他の経路を流通させる等で、フレキシブルジョイント１０に流路を形成する必要がない場合には、中実の部材を用いることもできる。）を用いるようにしているが、フレキシブルジョイント１０は、管体３と磁気エレメント５の寸法誤差を吸収して滑らかな摺動を保つ機能を有するものであれば、これに限定されず、例えば、偏心及び偏角を吸収する機能を有する機構部品であるフローティングジョイントを用いたり、両者を併用することもできる。
【００２８】
連結板８は、スペーサー８ｃを挿んだ二重構造で、上部の連結板８Ａには中空形状のロッド９が、下部の連結板８Ｂにはフレキシブルジョイント１０を介して複数本の磁気エレメント５が固定されている。
【００２９】
ロッド９は、中空のパイプ材からなり、マグネット体２の上部の蓋体６のスライド軸受６ｂに支持されて上下運動を行うことができるようにしている。
この運動は、図２に示すように、原材料に混入している微細鉄粉を磁気エレメント５を収納した管体３の外表面に吸着させて捕捉するが、この捕捉された微細鉄粉が飽和しないように一定時間経過時に除去することが必要で、このとき、管体３内に収納されている磁気エレメント５をロッド９によってマグネット体２の上部に引き上げ、管体３内に収納されていた磁気エレメント５を管体３の外表面に捕捉されている微細鉄粉に磁気の影響を与えない距離まで引き離すことによって捕捉された微細鉄粉の除去処理を容易に、かつ、完全に行うためのものである。
【００３０】
ところで、このような構造を有する微細鉄粉除去装置に対し、処理対象の原材料が高温であり、磁気エレメント５を構成している永久磁石５ａに対して、この永久磁石５ａの熱減磁可逆範囲以上（ネオジウム磁石の場合、７０〜８０℃以上）の熱負荷を与えるおそれがある場合、冷却のための熱媒体をロッド９の先端の供給口９ａから供給することにより、永久磁石５ａを熱減磁から保護するようにする。
【００３１】
ところで、本実施例においては、冷却のための熱媒体は、供給口９ａから、ロッド９、上部の連結板８Ａと下部の連結板８Ｂの隙間、磁気エレメント５の内部に形成した中空部（中空状のボルト５ｃ）、磁気エレメント５と管体３の隙間、マグネット体２、蓋体６に設けられた排出口６ａの順に流通させるようにしている。
これにより、磁気エレメント５をその内部から効率良く冷却するとともに、管体３の外周部を流動する原材料に冷却のための熱媒体が与える熱の影響を軽減することができる。
【００３２】
ここで、冷却のための熱媒体として気体を用いる場合には、供給源として、圧縮空気による断熱膨張現象を応用したエジェクター（Ｅｊｅｃｔｅｒ）やボルテックスチューブ（ｖｏｒｔｅｘ  ｔｕｂｅ）等によって低温化された有圧空気を好適に用いることができるが、その他の公知の機構によって得た冷却のための熱媒体を用いることもできる。
熱媒体の流路となる磁気エレメント５と管体３の隙間は狭小で、流路の断面積が小さいことから圧力損失が大きいのでこれに打ち勝つ供給圧力を必要とする。
すなわち、実際に原材料に混入している微細鉄粉を効率良く除去するには、磁気エレメント５を収納した管体３の外表面の磁力線密度をできるだけ高くすることが必要で、磁力線の磁束密度は永久磁石５ａ及びヨーク５ｂからの距離の二乗に反比例して減衰することから磁気エレメント５と管体３の隙間の寸法や管体３のパイプ厚さを可能な限り小さくしなければならない。したがって、隙間は狭小となり、この圧力損失を補うための供給圧力が必要となる。
そして、効率の良い熱交換を行うためには、熱媒体の流量及び処理する原材料との温度差が大きいことが望ましい。
【００３３】
以下、ボルテックスチューブ（ｖｏｒｔｅｘ  ｔｕｂｅ）と呼ばれている複数の口径を持つ円筒体に空気圧縮機で得られた高圧空気を供給することによって、円筒体内部で旋回流となり、その遠心力によって高温高圧になった円筒体内壁部領域の自由旋回流とその自由旋回流の内側をさらに小さな強制旋回流としての流路が形成され、これら２つの旋回流は大きな圧力差と温度差があり、低温となった内側の強制旋回流を利用した実証例について説明する。
【００３４】
この実証例では、供給空気量×空気圧力が２７０ＮＬ／ｍｉｎ×０．５Ｐａ、吐出空気量×吐出温度が１３５ＮＬ／ｍｉｎ×−４０℃の型式の機器を使用した。
このときの空気圧縮機に換算した必要動力は２．２Ｋｗである。
この機器で得られた低温空気を、供給口９ａから、ロッド９、上部の連結板８Ａと下部の連結板８Ｂの隙間、磁気エレメント５の内部に形成した中空部（中空状のボルト５ｃ）、磁気エレメント５と管体３の隙間、マグネット体２、蓋体６に設けられた排出口６ａの順に流通させ、排出口６ａから外部に放出するようにする。
【００３５】
このような機器構成で、沸騰水を２０Ｌ／ｍｉｎの割合で供給し、磁気エレメント５を構成するネオジウム磁石からなる永久磁石５ａの熱減磁を磁力測定用のガウスメーターで計測した。
この実証例では、機器の運転時間を３０分間として、熱媒体の低温空気供給量を変更しながら複数回行った。
その結果、低温空気発生装置への供給空気量を１８０ＮＬ／ｍｉｎ、空気圧は０．３Ｍｐａの条件でも永久磁石５ａの熱減磁は認められなかった。
【００３６】
なお、熱媒体の流路は、熱媒体が磁気エレメント５と管体３の隙間及び磁気エレメント５の内部に形成した中空部を流通する限りにおいて特に限定されず、例えば、磁気エレメント５に配管金具を設け、熱媒体を供給する配管（可撓性を有するホース）を接続するように構成することもできる。
また、熱媒体の流路は、供給口９ａと排出口６ａを反対にして、熱媒体の流通方向を逆にすることも可能である。
さらに、熱媒体は低温（又は高温）の空気のような気体に限定されず、比熱が大きく防錆効果のある水、油等の液体でもよい。
【００３７】
一方、アイスクリーム、ソフトクリーム、シャーベットのような氷菓類等のように、処理すべき原材料の温度が氷点下の場合には、微細鉄粉除去処理の運転開始から数十分ないし数時間程度は、微細鉄粉除去装置は正常に稼動するが、それ以上の運転時間に達すると処理する原材料が、微細鉄粉除去装置の磁気エレメント５が収納された管体３の周囲で凍結し、処理する原材料の流動性が失われて閉塞状態となり、運転を中止しなければならないという問題があったが、これに対処するために、加温のための熱媒体を、上記冷却のための熱媒体の流通方向とは逆方向、すなわち、磁気エレメント５と管体３の隙間から磁気エレメント５の内部に形成した中空部に流通するように供給するようにする。
これにより、管体３を効率良く加温して、管体３を氷結開始温度以上に保つことによって、管体３への原材料の付着を防ぎ、閉塞現象を起こすことなく、長時間に亘る連続した原材料の処理を可能にするとともに、磁気エレメント５に加温のための熱媒体が与える熱の影響を軽減することができる。
【００３８】
ここで、熱媒体の熱交換器としては、例えば、ステンレス製パイプ内にシーズヒータやセラミックヒータを内蔵したインライン型のヒータユニットに圧縮空気を供給することによって加熱空気を得るようにしたものを用いることができる。
なお、供給する加熱空気の温度は使用している永久磁石５ａの熱減磁可逆範囲内に限定される。
【００３９】
以上、本発明の微細鉄粉除去装置について、その実施例に基づいて説明したが、本発明は上記実施例に記載した構成に限定されるものではなく、例えば、実施例において説明した磁気エレメント５を管体３内と筒体４内のいずれかに選択的に位置させることができるようにした微細鉄粉除去装置のほか、図４に示すような、筒体を省略した微細鉄粉除去装置に適用したり、また、常温の原材料を使用する用途に適用する等、その趣旨を逸脱しない範囲において適宜その構成を変更することができるものである。
【産業上の利用可能性】
【００４０】
本発明の微細鉄粉除去装置は、磁気エレメントが管体内を摺動する際の摺動抵抗を低減して、機器の損傷を防止するとともに、メンテナンス作業を容易に行うことができるという特性を有していることから、複数本の磁気エレメントを固定した共通の連結板を介して磁気エレメントを管体から引く抜くことができるようにした微細鉄粉除去装置の用途に好適に用いることができる。
【符号の説明】
【００４１】
１    本体
１ａ  流入口
１ｂ  流出口
１ｃ  開口部
１ｄ  管路
２    マグネット体
３    管体
４    筒体
５    磁気エレメント
５ａ  永久磁石（ネオジウム磁石）
５ｂ  ヨーク
５ｃ  ボルト
５ｄ  ガイド
６    蓋体
６ａ  排出口
６ｂ  スライド軸受
７    把持部
８    連結板
９    ロッド
９ａ  供給口
１０  フレキシブルジョイント
１１  フェルール継手
１２  フェルール継手
【図１】
2010172824.tif 000003
【図２】
2010172824.tif 000004
【図３】
2010172824.tif 000005
【図４】
2010172824.tif 000006